(57)【特許請求の範囲】
【請求項１】
第１の接地端を備える外部の電力源が供給する単相交流電力を外部の負荷に伝送するための一対の伝送路の各々の電位の算術平均に相当する電位を、自己が備える第１のノードに発生させる平均電位発生手段と、
前記第１の接地端に接続された第２のノードと、
一端が前記第１の接地端に接続された第１の抵抗器と、
前記第１の抵抗器の他端に接続された第３のノードと、
前記第１のノードを、前記第２及び第３のノードのうちのいずれか一つに接続する第１の切り替え手段と、
を備えることを特徴とする接地特性変換装置。
【請求項２】
前記第１の接地端に接続されていない外部のフィールドグラウンドに接続された第４のノードを更に備え、
前記第１の切り替え手段は、前記第１のノードを、前記第２乃至第４のノードのうちのいずれか一つに接続することを特徴とする請求項１に記載の接地特性変換装置。
【請求項３】
前記負荷は第２の接地端を備えており、
前記第２の接地端に接続された第５のノードと、
一端が前記第１の接地端に接続された第２の抵抗器と、
前記第２の抵抗器の他端に接続された第６のノードと、
前記第５のノードを、前記第２、第４及び第６のノードのうちのいずれか一つに接続する第２の切り替え手段と、
を更に備えることを特徴とする請求項２に記載の接地特性変換装置。
【請求項４】
前記平均電位発生手段は、
一端が前記一対の伝送路の一方に接続され、他端が前記第１のノードに接続された第１のキャパシタと、
一端が前記一対の伝送路の他方に接続され、他端が前記第１のノードに接続されるとともに、前記第１のキャパシタに等しい静電容量を有する第２のキャパシタと、
を備えることを特徴とする請求項１、２又は３に記載の接地特性変換装置。
【請求項５】
外部の電力源が備える第１の接地端に接続された第１のノードと、
一端が前記第１の接地端に接続された第１の抵抗器と、
前記第１の抵抗器の他端に接続された第２のノードと、
前記外部の電力源が供給する単相交流電力を外部の負荷に伝送するための一対の伝送路の各々の電位の算術平均に相当する電位を発生する外部のノードを、前記第１及び第２のノードのうちのいずれか一つに接続する第１の切り替え手段と、
を備えることを特徴とする接地特性変換装置。
【請求項６】
前記第１の接地端に接続されていない外部のフィールドグラウンドに接続された第３のノードを更に備え、
前記第１の切り替え手段は、前記外部のノードを、前記第１乃至第３のノードのうちのいずれか一つに接続することを特徴とする請求項５に記載の接地特性変換装置。
【請求項７】
前記負荷は第２の接地端を備えており、
前記第２の接地端に接続された第４のノードと、
一端が前記第１の接地端に接続された第２の抵抗器と、
前記第２の抵抗器の他端に接続された第５のノードと、
前記第４のノードを、前記第１、第３及び第５のノードのうちのいずれか一つに接続する第２の切り替え手段と、
を更に備えることを特徴とする請求項６に記載の接地特性変換装置。
【発明の詳細な説明】
【０００１】
【発明の属する技術分野】
この発明は、電源や電気機器の接地の状態を変化させる接地特性変換装置に関する。
【０００２】
【従来の技術】
一般に、電気機器を使用するとき、電気機器の保安のため（すなわち、漏電による人体等への危険発生の防止や、落雷等による電気機器の破壊の防止のため）、あるいは、電気機器への雑音の流入を防止するため、電気機器を構成する回路の所定のノードを、電気機器の外部の導体に接地する。
【０００３】
【発明が解決しようとする課題】
しかし、電源が備える接地端（例えば、商用電源のコンセントに設けられれているアース端子など）の電位が、雑音により変動している場合、この接地端に電気機器を接続することによる接地を行うと、電源の接地端の電位を変動させている雑音が、電気機器に流入するという問題がある。
【０００４】
また、電気機器の上述の所定のノードから外部の導体へと流れる電流路がリアクタンス成分を有する結果として、この電流路が雑音に共振して雑音を増強するという問題もある。
また、上述の所定のノードから外部の導体へと流れる電流路が閉ループを形成する場合は、この閉ループ内を一周する雑音電流により閉ループ内に電圧降下が生じ、電流路内に雑音電圧が生じ、上述の所定のノードの電位を不安定にするという問題もある。
【０００５】
これらの問題を解決するためには、従来は、雑音に起因する障害が電気機器に発生する度に、接地する対象の外部の導体や、接地の態様を個別に決定し、接地する対象や接地の態様を変更する工事を行っていた。しかし、接地する対象や接地の態様の適切な選択は困難であり、また、接地の対象や接地の態様を変更する工事は煩雑であった。
【０００６】
この発明は上記実状に鑑みてなされたもので、電気機器への雑音の流入が軽減されるよう接地の対象及び接地の態様を簡単に選択することを可能とするための接地特性変換装置を提供することを目的とする。
【０００７】
【課題を解決するための手段】
上記課題を解決するため、この発明の第１の観点にかかる接地特性変換装置は、第１の接地端を備える外部の電力源が供給する単相交流電力を外部の負荷に伝送するための一対の伝送路の各々の電位の算術平均に相当する電位を、自己が備える第１のノードに発生させる平均電位発生手段と、前記第１の接地端に接続された第２のノードと、一端が前記第１の接地端に接続された第１の抵抗器と、前記第１の抵抗器の他端に接続された第３のノードと、前記第１のノードを、前記第２及び第３のノードのうちのいずれか一つに接続する第１の切り替え手段と、を備えることを特徴とする。
【０００８】
このような接地特性変換装置によれば、各伝送路にほぼ同相で印加されたコモンモードノイズをバイパスさせるときは第１のノード−第２のノード間を接続し、このコモンモードノイズを消費させるときは第１のノード−第３のノード間を接続することにより、接地の対象及び接地の態様が簡単に選択され、電気機器への雑音の流入が軽減される。
【０００９】
前記接地特性変換装置は、前記第１の接地端に接続されていない外部のフィールドグラウンドに接続された第４のノードを更に備えていてもよく、この場合、前記第１の切り替え手段は、前記第１のノードを、前記第２乃至第４のノードのうちの一つに接続するものであってもよい。これにより、第１の接地端の電位が変動しやすい場合であっても、第１の接地端の電位が安定するようになる。
【００１０】
前記負荷は第２の接地端を備えていてもよく、この場合、前記接地特性変換装置は、  前記第２の接地端に接続された第５のノードと、一端が前記第１の接地端に接続された第２の抵抗器と、前記第２の抵抗器の他端に接続された第６のノードと、前記第５のノードを、前記第２、第４及び第６のノードのうちのいずれか一つに接続する第２の切り替え手段と、を更に備えるものであってもよい。
このような接地特性変換装置によれば、負荷の接地端の電位を各伝送路の電位の算術平均に固定するときは第５のノード−第２のノード間を接続し、負荷にほぼ同相で印加された雑音を消費させるときは第５のノード−第６のノード間を接続し、電力源の接地端の電位の変動が負荷に及ぶことを回避するため負荷の接地端の電位をフィールドグラウンドの電位に固定するときは第５のノード−第４のノード間を接続することにより、接地の対象及び接地の態様が簡単に選択され、電気機器への雑音の流入が軽減される。
【００１１】
前記平均電位発生手段は、例えば、一端が前記一対の伝送路の一方に接続され、他端が前記第１のノードに接続された第１のキャパシタと、一端が前記一対の伝送路の他方に接続され、他端が前記第１のノードに接続され、前記第１のキャパシタに略等しい静電容量を有する第２のキャパシタと、を備えることにより、一対の伝送路の各々の電位の算術平均に相当する電位を第１のノードに発生させる。
【００１２】
また、この発明の第２の観点にかかる接地特性変換装置は、外部の電力源が備える第１の接地端に接続された第１のノードと、一端が前記第１の接地端に接続された第１の抵抗器と、前記第１の抵抗器の他端に接続された第２のノードと、前記外部の電力源が供給する単相交流電力を外部の負荷に伝送するための一対の伝送路の各々の電位の算術平均に相当する電位を発生する外部のノードを、前記第１及び第２のノードのうちのいずれか一つに接続する第１の切り替え手段と、を備えることを特徴とする。
【００１３】
このような接地特性変換装置によれば、各伝送路にほぼ同相で印加されたコモンモードノイズをバイパスさせるときは外部のノード−第１のノード間を接続し、このコモンモードノイズを消費させるときは外部のノード−第２のノード間を接続することにより、接地の対象及び接地の態様が簡単に選択され、電気機器への雑音の流入が軽減される。
【００１４】
前記接地特性変換装置は、前記第１の接地端に接続されていない外部のフィールドグラウンドに接続された第３のノードを更に備えていてもよく、この場合、前記第１の切り替え手段は、前記外部のノードを、前記第１乃至第３のノードのうちの一つに接続するものであってもよい。これにより、第１の接地端の電位が変動しやすい場合であっても、第１の接地端の電位が安定するようになる。
【００１５】
前記負荷は第２の接地端を備えていてもよく、この場合、前記接地特性変換装置は、
前記第２の接地端に接続された第４のノードと、一端が前記第１の接地端に接続された第２の抵抗器と、前記第２の抵抗器の他端に接続された第５のノードと、前記第４のノードを、前記第１、第３及び第５のノードのうちのいずれか一つに接続する第２の切り替え手段と、を更に備えるものであってもよい。
このような接地特性変換装置によれば、負荷の接地端の電位を各伝送路の電位の算術平均に固定するときは第４のノード−第１のノード間を接続し、負荷にほぼ同相で印加された雑音を消費させるときは第４のノード−第５のノード間を接続し、電力源の接地端の電位の変動が負荷に及ぶことを回避するため負荷の接地端の電位をフィールドグラウンドの電位に固定するときは第４のノード−第３のノード間を接続することにより、接地の対象及び接地の態様が簡単に選択され、電気機器への雑音の流入が軽減される。
【００１６】
【発明の実施の形態】
以下、この発明の実施の形態にかかる接地特性変換装置を、交流電力により駆動される負荷への雑音の流入を軽減するための接地切替器を例として説明する。
【００１７】
図１は、この発明の実施の形態にかかる接地切替器の物理的構成を示す。
図示するように、この接地切替器は、コンデンサＣ１及びＣ２と、スイッチＳＷ１及びＳＷ２と、抵抗器Ｒ１及びＲ２とより構成される。
【００１８】
コンデンサＣ１及びＣ２は、実質的に等しい静電容量を有しており、カスケードに接続されて直列回路を形成している。コンデンサＣ１及びＣ２が形成する直列回路の両端は、単相交流電力を供給する外部の交流電源ＡＣＶの出力端が備える１対の極に１対１に接続されている。なお、交流電源ＡＣＶは、自己の出力端の両極間に単相交流電圧を発生する。
【００１９】
また、交流電源ＡＣＶの出力端の両極は、１対の極からなる電源入力端を備える外部の負荷Ｚの電源入力端に１対１に接続される。負荷Ｚは、単相交流電力を供給する対象の電気機器などより構成されている。負荷Ｚの電源入力端の両極間に印加された交流電圧は、例えば、負荷Ｚを構成する電気機器を駆動するため、この電気機器に印加される。また、負荷Ｚは接地端を備え、負荷Ｚの接地端は、例えば、負荷Ｚを構成する電気機器の導体製の筐体に接続されている。
【００２０】
スイッチＳＷ１は、１回路３接点のロータリースイッチ等から構成されており、端子ａｃｏｍ及びａ１〜ａ３を備える。
スイッチＳＷ１は、操作者の操作に従って、自己の端子ａｃｏｍと端子ａ１との間、端子ａｃｏｍと端子ａ２との間、及び端子ａｃｏｍと端子ａ３との間のうち、いずれか一つを導通させる。
【００２１】
スイッチＳＷ１の端子ａｃｏｍは、コンデンサＣ１及びＣ２の接続点に接続されている。端子ａ１は、交流電源ＡＣＶが備える接地端に接続されている。端子ａ２は、抵抗器Ｒ１を介して交流電源ＡＣＶの接地端に接続されている。端子ａ３は、地中に埋設された接地極などより構成されるフィールドグラウンドＦＧに接続されている。なお、交流電源ＡＣＶが備える接地端は、例えば、交流電源ＡＣＶを構成する装置の導体製の筐体に接続されている。
【００２２】
スイッチＳＷ２は、スイッチＳＷ１と実質的に同一の構成をしており、端子ｂｃｏｍ及びｂ１〜ｂ３を備える。
スイッチＳＷ２は、操作者の操作に従って、自己の端子ｂｃｏｍと端子ｂ１との間、端子ｂｃｏｍと端子ｂ２との間、及び端子ｂｃｏｍと端子ｂ３との間のうち、いずれか一つを導通させる。
【００２３】
スイッチＳＷ２の端子ｂｃｏｍは、負荷Ｚの接地端に接続されている。端子ｂ１は、交流電源ＡＣＶが備える接地端に接続されている。端子ｂ２は、抵抗器Ｒ２を介して交流電源ＡＣＶの接地端に接続されている。端子ｂ３は、フィールドグラウンドＦＧに接続されている。
【００２４】
抵抗器Ｒ１は、上述の通り、スイッチＳＷ１の端子ａ２と交流電源ＡＣＶの接地端との間に接続されている。抵抗器Ｒ２は、上述の通り、スイッチＳＷ２の端子ｂ２と交流電源ＡＣＶの接地端との間に接続されている。
【００２５】
スイッチＳＷ１の端子ａｃｏｍ−ａ１間が互いに接続された状態（以下、「第１の状態」と呼ぶ）で、交流電源ＡＣＶの出力端の両極間に交流電圧が発生する。この場合、この交流電圧は、負荷Ｚの両端間に印加される。
【００２６】
一方、コンデンサＣ１及びＣ２の接続点の電位は、交流電源ＡＣＶの出力端の各極の電位の算術平均に実質的に等しくなる。従って、コンデンサＣ１及びＣ２の接続点に接続されている、交流電源ＡＣＶの接地端の電位も、交流電源ＡＣＶの出力端の各極の電位の算術平均に実質的に等しくなる。
【００２７】
この結果、第１の状態では、交流電源ＡＣＶの出力端の両極に、両極の電位が互いに実質的に等振幅かつ逆相で変動するように印加されているノイズ（ノーマルモードノイズ）は、交流電源ＡＣＶの接地端の電位を実質的に変動させない。
【００２８】
また、第１の状態では、交流電源ＡＣＶの出力端の両極に、両極の電位が互いに実質的に等振幅かつ同相で変動するように印加されているノイズ（コモンモードノイズ）が発生していて、一方で交流電源ＡＣＶの接地端の電位がこのコモンモードノイズに起因する電位の変動を受けていない場合、コンデンサＣ１及びＣ２の接続点と交流電源ＡＣＶの接地端の間に電流が流れる。この結果、負荷Ｚには、このコモンモードノイズに起因する雑音電流が実質的に流れなくなる。
【００２９】
そして、第１の状態において、スイッチＳＷ２の端子ｂｃｏｍ−ｂ１間が互いに接続されていれば、負荷Ｚの接地端の電位は交流電源ＡＣＶの接地端の電位に実質的に等しくなる。従って、負荷Ｚ自身が発生したコモンモードノイズに起因する雑音電流も、交流電源ＡＣＶの接地端に流れる。
【００３０】
交流電源ＡＣＶ自身がコモンモードノイズを発生させている場合、コモンモードノイズは、通常、交流電源ＡＣＶの出力端の両極に印加される。
従って、第１の状態では、負荷Ｚに供給される電力から、交流電源ＡＣＶが発生するコモンモードノイズが実質的に除去される。
【００３１】
また、第１の状態において、スイッチＳＷ２の端子ｂｃｏｍ−ｂ２間が互いに接続されていた場合、負荷Ｚの電源入力端の両極にコモンモードノイズが印加されている場合、このコモンモードノイズに起因する雑音電流が抵抗器Ｒ２に流れる。
そして、雑音電流が抵抗器Ｒ２に流れる結果、負荷Ｚの電源入力端に印加されたコモンモードノイズは抵抗器Ｒ２の両端間での電力損失により熱エネルギーに変換され、消費される。
また、負荷Ｚに印加されたコモンモードノイズが実質的に定電流源として機能している場合を除き、抵抗器Ｒ２に流れる雑音電流は、抵抗器Ｒ２の抵抗値が大きいほど小さくなる。従って、抵抗値Ｒ２の抵抗値が大きいほど、このコモンモードノイズに起因して負荷Ｚに流れる雑音電流が効果的に除去される。
【００３２】
一方、負荷Ｚの接地端の電位は、交流電源ＡＣＶの接地端の電位から、抵抗器Ｒ２の両端間に発生した電圧降下に相当する電圧を差し引いたものに等しくなる（なお、抵抗器Ｒ２に流れる電流の向きは、スイッチＳＷ２の端子ｂ２から交流電源ＡＣＶの接地端へと流れる向きを正の向きとする）。
しかし、交流電源ＡＣＶの接地端の電位は、コンデンサＣ１及びＣ２の接続点の電位に実質的に等しいため、抵抗器Ｒ２には、交流電源ＡＣＶの出力端の両極間に印加されたノーマルモードノイズに起因する電流が実質的に流れない。
【００３３】
従って、第１の状態で、且つ、スイッチＳＷ２の端子ｂｃｏｍ−ｂ２間が互いに接続された状態では、負荷Ｚの電源入力端の両極に印加されたコモンモードノイズが実質的に除去される。
【００３４】
また、第１の状態において、スイッチＳＷ２の端子ｂｃｏｍ−ｂ３間が互いに接続されていれば、負荷Ｚの接地端の電位はフィールドグラウンドＦＧの電位に実質的に等しくなる。従って、交流電源ＡＣＶの接地端の電位に変動があっても、負荷Ｚの接地端の電位は実質的に変動しない。
このため、第１の状態で、且つ、スイッチＳＷ２の端子ｂｃｏｍ−ｂ３間が互いに接続された状態では、交流電源ＡＣＶの接地端へと流れる雑音電流が負荷Ｚの接地端へと流れることが防止される。
【００３５】
次に、スイッチＳＷ１の端子ａｃｏｍ−ａ２間が互いに接続された状態（以下、「第２の状態」と呼ぶ）で、交流電源ＡＣＶの出力端の両極間に交流電圧が発生したとする。
第２の状態においても、交流電源ＡＣＶの出力端の両極間に発生した交流電圧は負荷Ｚの両端間に印加され、コンデンサＣ１及びＣ２の接続点の電位は、交流電源ＡＣＶの出力端の各極の電位の算術平均に実質的に等しくなる。
【００３６】
そして、交流電源ＡＣＶの接地端の電位は、交流電源ＡＣＶの出力端の各極の電位の算術平均から、抵抗器Ｒ１の両端間に発生した電圧降下に相当する電圧を差し引いたものに等しくなる（なお、抵抗器Ｒ１に流れる電流の向きは、スイッチＳＷ１の端子ａ２から交流電源ＡＣＶの接地端へと流れる向きを正の向きとする）。
この結果、第２の状態でも、交流電源ＡＣＶの出力端の両極に印加されたノーマルモードノイズは、交流電源ＡＣＶの接地端の電位を実質的に変動させない。
【００３７】
また、第２の状態では、交流電源ＡＣＶの出力端の両極にコモンモードノイズが発生している場合、コモンモードノイズに起因する雑音電流が抵抗器Ｒ１に流れる。
従って、抵抗器Ｒ１に雑音電流が流れる原因であるコモンモードノイズを発生している外部の雑音源の出力インピーダンスに比べて抵抗器Ｒ１の抵抗値が十分に低ければ、この雑音源が発生する雑音電圧のうち負荷Ｚに印加される分の大きさは、この雑音源内部での電圧降下により打ち消される分も含めた雑音電圧全体の大きさに比べて無視できる大きさとなる。そして、雑音電流が抵抗器Ｒ１に流れる結果、コモンモードノイズは抵抗器Ｒ１の両端間での電力損失により熱エネルギーに変換され、消費される。
【００３８】
そして、第２の状態において、スイッチＳＷ２の端子ｂｃｏｍ−ｂ１間が互いに接続されていれば、負荷Ｚの接地端の電位は交流電源ＡＣＶの接地端の電位に実質的に等しくなる。従って、交流電源ＡＣＶの出力端の両極に印加されたノーマルモードノイズは、負荷Ｚの接地端の電位を実質的に変動させない。
【００３９】
ただし、第２の状態で、且つ、スイッチＳＷ２の端子ｂｃｏｍ−ｂ１間が互いに接続された状態では、交流電源ＡＣＶの出力端の両極に印加されたコモンモードノイズの一部は、負荷Ｚを経由して交流電源ＡＣＶの接地端へと流れる。
従って、この接地切替器を、第２の状態で、且つ、スイッチＳＷ２の端子ｂｃｏｍ−ｂ１間が互いに接続された状態にすることによって負荷Ｚへのコモンモードノイズの印加を阻止する場合は、このコモンモードノイズに対する負荷Ｚの入力インピーダンスが十分高いことが望ましい。
【００４０】
また、第２の状態において、スイッチＳＷ２の端子ｂｃｏｍ−ｂ２間が互いに接続されていた場合、負荷Ｚ自身が発生するコモンモードに起因する雑音電圧が負荷Ｚの電源入力端の両極間に発生していれば、このコモンモードノイズに起因する雑音電流が抵抗器Ｒ２に流れる。この結果、このコモンモードノイズは抵抗器Ｒ２により消費される。
【００４１】
一方、負荷Ｚの接地端の電位は、交流電源ＡＣＶの接地端の電位から、抵抗器Ｒ２の両端間の電圧降下にあたる電圧を差し引いたものに等しく、交流電源ＡＣＶの接地端の電位は、コンデンサＣ１及びＣ２の接続点の電位に抵抗器Ｒ１の両端間の電圧降下に当たる電圧を加えたものに実質的に等しい。このため、抵抗器Ｒ１及びＲ２には、交流電源ＡＣＶの出力端の両極間に印加されたノーマルモードノイズに起因する電流が実質的に流れない。
【００４２】
従って、第２の状態で、且つ、スイッチＳＷ２の端子ｂｃｏｍ−ｂ２間が互いに接続された状態では、交流電源ＡＣＶの出力端の両極に印加されたコモンモードノイズと、負荷Ｚ自身が発生するコモンモードノイズとが低減される。
【００４３】
また、第２の状態において、スイッチＳＷ２の端子ｂｃｏｍ−ｂ３間が互いに接続されていれば、負荷Ｚの接地端の電位はフィールドグラウンドＦＧの電位に実質的に等しくなり、交流電源ＡＣＶの接地端の電位に変動があっても、負荷Ｚの接地端の電位は実質的に変動しない。
このため、第２の状態で、且つ、スイッチＳＷ２の端子ｂｃｏｍ−ｂ３間が互いに接続された状態では、交流電源ＡＣＶの接地端に印加されている雑音は実質的に負荷Ｚに供給されない。
【００４４】
次に、スイッチＳＷ１の端子ａｃｏｍ−ａ３間が互いに接続された状態（以下、「第３の状態」と呼ぶ）で、交流電源ＡＣＶの出力端の両極間に交流電圧が発生したとする。
【００４５】
この場合も、コンデンサＣ１及びＣ２の接続点の電位は、交流電源ＡＣＶの出力端の各極の電位の算術平均に実質的に等しくなる。加えて、コンデンサＣ１及びＣ２の接続点の電位は、ＳＷ１を介してコンデンサＣ１及びＣ２の接続点に接続されているフィールドグラウンドＦＧの電位にも実質的に等しくなる。そして、第３の状態では、交流電源ＡＣＶの出力端の両極に印加されているノーマルモードノイズは、交流電源ＡＣＶの接地端の電位を実質的に変動させない。
従って、交流電源ＡＣＶの出力端の両極に印加されたコモンモードノイズに起因する雑音電流が、コンデンサＣ１及びＣ２の接続点とフィールドグラウンドＦＧとの間に流れる。
【００４６】
そして、第３の状態において、スイッチＳＷ２の端子ｂｃｏｍ−ｂ１間が互いに接続されていれば、負荷Ｚの接地端の電位は交流電源ＡＣＶの接地端の電位に実質的に等しくなる。従って、負荷Ｚ自身が発生するコモンモードノイズに起因する雑音電流は、負荷Ｚの接地端と交流電源ＡＣＶの接地端との間に流れる。
この結果、第３の状態において、スイッチＳＷ２の端子ｂｃｏｍ−ｂ１間が互いに接続されていれば、交流電源ＡＣＶの出力端の両極間に印加されているコモンモードノイズによって交流電源ＡＣＶの接地端の電位が変動したり、交流電源ＡＣＶの接地端に雑音電流が流れたりすることが防止される。
ただし、負荷Ｚ自身が発生するコモンモードノイズに起因して交流電源ＡＣＶの接地端に流れる雑音電流に起因して交流電源ＡＣＶの接地端の電位が変動する量は、なるべく小さいことが望ましい。
【００４７】
また、第３の状態において、スイッチＳＷ２の端子ｂｃｏｍ−ｂ２間が互いに接続されていれば、負荷Ｚの電源入力端の両極にコモンモードノイズが印加されている場合や、負荷Ｚ自身がコモンモードノイズを発生している場合、これらのコモンモードノイズに起因する雑音電流が抵抗器Ｒ２に流れる。そして、この雑音電流が抵抗器Ｒ２に流れる。そして、このコモンモードノイズは抵抗器Ｒ２により消費される。
【００４８】
一方、負荷Ｚの接地端の電位は、交流電源ＡＣＶの接地端の電位から、抵抗器Ｒ２の両端間に発生した電圧降下に相当する電圧を差し引いたものに等しいので、抵抗器Ｒ２には、交流電源ＡＣＶの出力端の両極間に印加されたノーマルモードノイズに起因する電流が実質的に流れない。
【００４９】
従って、第３の状態で、且つ、スイッチＳＷ２の端子ｂｃｏｍ−ｂ２間が互いに接続された状態では、負荷Ｚの電源入力端の両極に印加されたコモンモードノイズに起因して負荷Ｚに流れる雑音電流が低減される。
【００５０】
また、第３の状態において、スイッチＳＷ２の端子ｂｃｏｍ−ｂ３間が互いに接続されていれば、交流電源ＡＣＶの接地端の電位と、負荷Ｚの接地端の電位とは、いずれもフィールドグラウンドＦＧの電位に実質的に等しくなる。
このため、交流電源ＡＣＶの接地端の電位にかかわらず、フィールドグラウンドＦＧの接地抵抗が小さいほど電位の変動が少なくなり、一方、接地抵抗が大きいほど負荷Ｚに流れる雑音電流は少なくなる。
【００５１】
なお、この接地切替器の構成は上述のものに限られない。
例えば、この接地切替器は、コンデンサＣ１及びＣ２の接続点と交流電源ＡＣＶの接地端との間に接続されるための抵抗器を、抵抗器Ｒ１だけに限らず複数備えていてもよい。この場合、スイッチＳＷ１は、操作者の操作に従って、これら複数の抵抗器のうち一つをコンデンサＣ１及びＣ２の接続点と交流電源ＡＣＶの接地端との間に接続するものとすればよい。
【００５２】
また、この接地切替器は、負荷Ｚの接地端と交流電源ＡＣＶの接地端との間に接続されるための抵抗器を、抵抗器Ｒ２だけに限らず複数備えていてもよい。この場合、スイッチＳＷ２は、操作者の操作に従って、これら複数の抵抗器のうち一つを負荷Ｚの接地端と交流電源ＡＣＶの接地端との間に接続するものとすればよい。
【００５３】
また、抵抗器Ｒ１及びＲ２は純抵抗成分のみを有する素子である必要はなく、リアクタンス成分を有していてもよい。従って、この接地切替器は、抵抗器Ｒ１やＲ２（その他、コンデンサＣ１及びＣ２の接続点と交流電源ＡＣＶの接地端との間に接続されるための抵抗器や、負荷Ｚの接地端と交流電源ＡＣＶの接地端との間に接続されるための抵抗器）に代えて、任意の周波数特性を有するフィルタを備えるようにしてもよい。
【００５４】
【発明の効果】
以上説明したように、この発明によれば、電気機器への雑音の流入が軽減されるよう接地の対象及び接地の態様を簡単に選択することを可能とするための接地特性変換装置が実現される。
【図面の簡単な説明】
【図１】この発明の実施の形態にかかる接地切替器の基本構成を示すブロック図である。
【符号の説明】
ＡＣＶ              交流電源
Ｃ１、Ｃ２          コンデンサ
ＦＧ                フィールドグラウンド
Ｒ１、Ｒ２          抵抗器
ＳＷ１、ＳＷ２      スイッチ
Ｚ                  負荷
【図１】
0003638105.tif 000002